(57)【要約】【課題】金属部材等の隙間部（狭隘部）に発生する塩分を除去する金属部材の脱塩方法及び装置を提供する。【解決手段】塩分が付着している金属部材である例えばタービンロータ１１の全体を密閉状態で覆う金属製の密閉建屋２１と、密閉建屋２１内にナノミスト２２を導入するナノミスト導入装置２３と、前記金属製の密閉容器又は密閉建屋２１を負極側に、前記タービンロータ１１を正極側に接続して所定時間通電した後、電極の接続を逆転させつつ所定時間通電する直流電源部２４と、を備える。【選択図】図２
2015117411.tif 000002
【特許請求の範囲】
【請求項１】
塩分が付着している金属部材の全体を密閉状態で覆う金属製の密閉容器又は密閉建屋と、
前記密閉容器又は密閉建屋内にナノミストを導入するナノミスト導入装置と、
前記金属製の密閉容器又は密閉建屋を負極側に、前記金属部材を正極側に接続して通電する直流電源部と、を備えた脱塩装置を用い、
前記ナノミストを前記金属製の密閉容器又は密閉建屋内に充満させつつ所定時間通電して、前記金属部材の隙間部に侵入した塩素化合物を電気分解し、塩素イオンとして水に溶解させ、
次いで、前記金属製の密閉容器又は密閉建屋を正極側に、前記金属部材を負極側に、各々の接続を逆転させた後、さらに通電し、
前記塩素イオンが溶出した前記水を前記隙間部から排出させ、前記金属部材の表面に塩素イオンが溶解した液滴として除塩することを特徴とする金属部材の脱塩方法。
【請求項２】
請求項１において、
前記直流電源部に対して、前記正極と前記負極の逆転する接続を複数回繰り返すことを特徴とする金属部材の脱塩方法。
【請求項３】
請求項１又は２において、
前記ナノミストに二酸化炭素を添加してなることを特徴とする金属部材の脱塩方法。
【請求項４】
塩分が付着している金属部材の全体を密閉状態で覆う金属製の密閉容器又は密閉建屋と、
前記密閉容器又は密閉建屋内にナノミストを導入するナノミスト導入装置と、
前記金属製の密閉容器又は密閉建屋を負極側に、前記金属部材を正極側に接続して所定時間通電した後、電極の接続を逆転させつつ所定時間通電する直流電源部と、を備えたことを特徴とする金属部材の脱塩装置。
【請求項５】
請求項４において、
前記直流電源部に対して、前記正極と前記負極の逆転する接続を複数回繰り返すことを特徴とする金属部材の脱塩装置。
【請求項６】
請求項４又は５において、
前記ナノミストに二酸化炭素を添加してなることを特徴とする金属部材の脱塩装置。
【発明の詳細な説明】
【技術分野】
【０００１】
本発明は、例えばタービン設備のタービンロータの翼根、翼溝部の金属部材等の隙間部（狭隘部）に発生する塩分を除去する金属部材の脱塩方法及び装置に関するものである。
【背景技術】
【０００２】
従来、火力発電設備等においては、ボイラで発生したボイラ蒸気を復水器で冷却凝縮させ、ボイラ水（純水）として循環使用している。ここで、復水器内でボイラ蒸気を冷却する冷却管が設けられ、該冷却管には冷却用の海水が流れているが、該冷却管に亀裂等が生じると、そこから海水が液漏れし、凝縮したボイラ凝縮水に混入し、該ボイラ凝縮水に塩分が混じって各種配管等を腐食させることになる（例えば、特許文献１参照）。
この海水漏洩があることにより、高圧スチームを減温する場合、復水器からの給水をそのまま減温スプレーから主蒸気配管内に供給しているので、海水が含まれた水蒸気がタービン側に供給されることとなる。
【０００３】
この結果、長期間運転していくと、この海水漏洩に起因する塩分等が、タービンロータ等の隙間部に、塩化物イオンなどの腐食性物質が入り込み、翼根部や翼溝部に腐食割れの発生が懸念される。
【０００４】
このため、翼根部及び翼溝部に入り込んだ腐食性物質を除去し、健全な状態に戻す必要があるため、従来ではタービンを分解し、タービン翼を取り外した後、腐食性物質の除去作業を行っている。
【先行技術文献】
【特許文献】
【０００５】
【特許文献１】特開２００１−１４１５９６号公報
【発明の概要】
【発明が解決しようとする課題】
【０００６】
しかしながら、タービンを分解し、タービン翼を取り外し、腐食性物質の除去作業を行った後、再度タービンを組み付ける必要があるたため、費用と時間とが必要となり、大きな損失となる、という問題がある。
【０００７】
また、タービンロータの翼根・翼溝などの隙間部（狭隘部）の洗浄においては、以下のような問題がある。
１）塩分を除去するためには、水系の洗浄液を用いて、溶解除去する必要があるが、隙間部の亀裂は狭く、空気の噛み込みなどにより、洗浄液が浸透し難いため、塩分の除去は難しい。
２）よって、タービンロータを解体して、解体した各部材を水槽等に沈め、複数回水を入れ替えの洗浄を行うことで、除塩する必要があるが、錆の細部や凹部割れ先端（深部）における塩素化合物は、例えば１００〜１０００ｐｐｍ程度まで濃縮されており、容易に短時間でしかも低コストでの水洗浄を実施することができない、という問題がある。
【０００８】
よって、タービンを分解することなく、隙間部（狭隘部）の塩分の除去を効率よく実施できる手法の出現が切望されている。
【０００９】
本発明は、前記問題に鑑み、金属部材等の隙間部（狭隘部）に発生する塩分を除去する金属部材の脱塩方法及び装置を提供することを課題とする。
【課題を解決するための手段】
【００１０】
上述した課題を解決するための本発明の第１の発明は、塩分が付着している金属部材の全体を密閉状態で覆う金属製の密閉容器又は密閉建屋と、前記密閉容器又は密閉建屋内にナノミストを導入するナノミスト導入装置と、前記金属製の密閉容器又は密閉建屋を負極側に、前記金属部材を正極側に接続して通電する直流電源部と、を備えた脱塩装置を用い、前記ナノミストを前記金属製の密閉容器又は密閉建屋内に充満させつつ所定時間通電して、前記金属部材の隙間部に侵入した塩素化合物を電気分解し、塩素イオンとして水に溶解させ、次いで、前記金属製の密閉容器又は密閉建屋を正極側に、前記金属部材を負極側に、各々の接続を逆転させた後、さらに通電し、前記塩素イオンが溶出した前記水を前記隙間部から排出させ、前記金属部材の表面に塩素イオンが溶解した液滴として除塩することを特徴とする金属部材の脱塩方法にある。
【００１１】
本発明によれば、隙間部内にナノミストを導入し、電気分解により塩素イオンとした後、前記金属製の密閉容器又は密閉建屋と金属部材との電源部への負極と正極との接続を逆転させることで、塩素イオンを含む水を外部に排出させ、液滴として除塩する。
【００１２】
第２の発明は、第１の発明において、前記直流電源部に対して、前記正極と前記負極の逆転する接続を複数回繰り返すことを特徴とする金属部材の脱塩方法にある。
【００１３】
本発明によれば、直流電源部に対して、前記金属製の密閉容器又は密閉建屋と金属部材との電源部への負極と正極との接続を繰り返すことにより、さらに塩素イオンを含む水を外部に排出させ、液滴として除塩する。
【００１４】
第３の発明は、第１又は２の発明において、前記ナノミストに二酸化炭素を添加してなることを特徴とする金属部材の脱塩方法にある。
【００１５】
本発明によれば、二酸化炭素を添加するので、炭酸イオンが共存することとなり、ナノミストの帯電が強化され、隙間部の深淵部への挙動が速くなり、隙間部の深度方向での電気分解が確実になり、電解による塩素イオンの溶出が確実となる。
【００１６】
第４の発明は、塩分が付着している金属部材の全体を密閉状態で覆う金属製の密閉容器又は密閉建屋と、前記密閉容器又は密閉建屋内にナノミストを導入するナノミスト導入装置と、前記金属製の密閉容器又は密閉建屋を負極側に、前記金属部材を正極側に接続して所定時間通電した後、電極の接続を逆転させつつ所定時間通電する直流電源部と、を備えたことを特徴とする金属部材の脱塩装置にある。
【００１７】
本発明によれば、隙間部内にナノミストを導入し、電気分解により塩素イオンとした後、前記金属製の密閉容器又は密閉建屋と金属部材との電源部への負極と正極との接続を逆転させることで、塩素イオンを含む水を外部に排出させ、液滴として除塩する。
【００１８】
第５の発明は、第４の発明において、前記直流電源部に対して、前記正極と前記負極の逆転する接続を複数回繰り返すことを特徴とする金属部材の脱塩装置にある。
【００１９】
本発明によれば、直流電源部に対して、前記金属製の密閉容器又は密閉建屋と金属部材との電源部への負極と正極との接続を繰り返すことにより、さらに塩素イオンを含む水を外部に排出させ、液滴として除塩する。
【００２０】
第６の発明は、第４又は５の発明において、前記ナノミストに二酸化炭素を添加してなることを特徴とする金属部材の脱塩装置にある。
【００２１】
本発明によれば、二酸化炭素を添加するので、炭酸イオンが共存することとなり、ナノミストの帯電が強化され、隙間部の深淵部への挙動が速くなり、隙間部の深度方向での電気分解が確実になり、電解による塩素イオンの溶出が確実となる。
【発明の効果】
【００２２】
本発明によれば、隙間部内にナノミストを導入し、電気分解により塩素イオンとした後、前記金属製の密閉容器又は密閉建屋と金属部材との電源部への負極と正極との接続を逆転させることで、塩素イオンを含む水を外部に排出させ、液滴として除塩することができる。
【図面の簡単な説明】
【００２３】
【図１】図１は、タービンロータの翼溝に腐食生成物が生成した状態を示す図である。
【図２】図２は、実施例１に係る金属部材の脱塩装置の概略図である。
【図３】図３は、実施例１に係るナノミストによる塩分を除去する作用を模式的に示す図である。
【図４】図４は、実施例１に係るナノミストによる塩分を除去する作用を模式的に示す図である。
【図５】図５は、実施例２に係るナノミストによる塩分を除去する作用を模式的に示す図である。
【図６】図６は、実施例２に係るナノミストによる塩分を除去する作用を模式的に示す図である。
【発明を実施するための形態】
【００２４】
以下に添付図面を参照して、本発明の好適な実施例を詳細に説明する。なお、この実施例により本発明が限定されるものではなく、また、実施例が複数ある場合には、各実施例を組み合わせて構成するものも含むものである。
【実施例１】
【００２５】
図１は、タービンロータの翼溝に腐食生成物が生成した状態を示す図である。図２は、実施例１に係る金属部材の脱塩装置の概略図である。図３及び図４は、実施例１に係るナノミストによる塩分を除去する作用を模式的に示す図である。
【００２６】
先ず、図１に示すように、タービンロータ１１に形成された翼溝１２に翼根１３が装着されている場合、通常は、翼溝１２の狭隘部には、何も発生していない健全な状態Ａである。しかし、腐食生成物や塩分１５が発生した場合には、狭隘部１４に腐食生成物や塩分１５が詰まった状態Ｂとなる。
【００２７】
このような場合、以下の工程によりタービンロータ１１を分解せずに、塩分を除去している。
【００２８】
図２に示すように、本実施例に係る金属部材の脱塩装置は、塩分が付着している金属部材である例えばタービンロータ１１の全体を密閉状態で覆う金属製の密閉建屋２１と、密閉建屋２１内にナノミスト２２を導入するナノミスト導入装置２３と、金属製の密閉容器又は密閉建屋２１を負極側に、タービンロータ１１を正極側に接続して所定時間通電した後、電極の接続を逆転させつつ所定時間通電する直流電源部２４と、を備えるものである。
【００２９】
密閉建屋２１には、その天井側からナノミスト２２を導入するナノミスト導入装置２３が設置され、ナノミストの発生と共に、密閉建屋２１内に発生したナノミスト２２を導入するようにしている。この導入されたナノミスト２２は、建屋内に充満すると共に、タービンロータ１１に発生する亀裂部や、タービンロータと、翼根との接続の翼溝内の隙間部に導入される。
【００３０】
ここで、図３は、タービンロータ１１を模式化した金属部材３１と密閉容器３２との内部にナノミスト２２を図示しないナノミスト導入装置から導入している様子を示す模式図である。図３に示すように、先ず、ナノミスト２２の導入と共に、金属部材３１は直流電源部２４の正極側に接続され、密閉容器３２は直流電源部２４の負極側に接続され、通電している。
【００３１】
導入されたナノミスト２２は、密閉容器３２内に充満されるが、ナノミスト２２自身は、微小粒子であるので、いわゆるレナード効果により、負イオンとなっている。よって、充満されるナノミスト２２は、密閉容器３２の壁側において、弾かれて、正極側に接続される金属部材３１に引き寄せられその周囲に集中する。
【００３２】
そして、充満したナノミストは、時間の経過と共に、正極に接続されている金属部材３１の隙間部３３内に侵入し、隙間部３３の深淵部（先端部）まで侵入する。
【００３３】
これは、一般のスチームの場合には、その粒径が６０００ｎｍ程度であるが、ナノミストは約１０〜５００ｎｍ以下と極々微小であるので、隙間部３３内に侵入することができることによる。
【００３４】
ここで、ナノミスト２２の発生のためには、所定粒径のナノミスト（例えば約１０〜５００ｎｍ）を発生する装置であれば、公知のナノミスト発生装置を適用することができる。
【００３５】
直流電源部２４の電圧としては、２０〜５０Ｖ程度、好ましくは、３０〜４０Ｖとし、所定時間（２〜３日）かけて通電する。この間、導入されたナノミスト２２は、飽和状態となり、金属部材３１の表面では、結露する。
【００３６】
この結果、隙間部３３内で、ナノミストが凝縮して水３５となる。この水３５が塩分である塩素化合物（例えばＮａＣｌ，β−Ｆｅ2（ＯＨ）3Ｃｌ）に到達し、電気分解により塩素化合物は塩素イオンに解離される。この電気分解された塩素イオンは水３５に取り込まれる。この状態でさらに結露が進行すると、隙間部３５の入口側から液滴として落下する水３５内には塩素イオンが取り込まれるので、除塩することとなる。
【００３７】
ここで、図４は、タービンロータ１１を模式化した金属部材３１と密閉容器３２との内部にナノミスト２２を図示しないナノミスト導入装置から導入し、その後直流電源の接続を逆転した場合の様子を示す模式図である。
【００３８】
そして、図３の直流電源部２４での接続状態で２〜３日通電をした後、図４に示すように、直流電源部２４での接続を逆転（交番）し、直流電源部２４から金属部材３１への接続を負極側とし、密閉容器３２への接続を正極側とする。
【００３９】
この結果、図４に示すように、塩分として塩化ナトリウム（ＮａＣｌ）の場合、水３５中にはＮａ+、Ｈ+、Ｃｌ-、ＯＨ-がイオン状態で存在する。
この状態で、金属部材３１が負極側に接続すると、水３５内の正イオン（Ｎａ+、Ｈ+）は、金属部材３１側に引き付けられ、逆に負イオン（Ｃｌ-、ＯＨ-）は隙間部３３の先端部より外側の密閉容器３２側に引き付けられる。この結果、ナノミスト２２を連続して充満させているので、塩素イオンが溶解した液滴が隙間部３３の開口部より連続して引っ切り無しに落下し、除塩が完了する。なお、塩化水素も蒸気圧を有しているので、塩素イオン（Ｃｌ-）として、ナノミスト空間内を浮遊して正極側に接続される金属製の密閉容器３２の内壁面に付着する。付着した塩素イオンは、飽和状態の液滴に侵入して液滴３６として落下し、密閉容器３２の底部に溜まることとなる。また、錆３４に潜んでいる塩分からも塩素イオン（Ｃｌ-）として同様に脱離されることとなる。
除塩終了後は、溜まった塩素イオンを含む液滴３６を洗浄し、乾燥する。
【００４０】
この状態を２〜３日継続して、塩素イオンが溶出した水３５を隙間部３３から排出させ、金属部材１１の表面に塩素イオンが溶解した液滴３６として除塩することができる。
【００４１】
さらに、塩分付着の程度が高い場合（例えばボイラ運転中に復水器における海水リーク等があった場合）には、直流電源部２４に対して、正極と負極の逆転する接続を複数回繰り返すことにより、さらに除塩効果を向上させるようにしてもよい。
【００４２】
この結果、金属製の密閉容器又は密閉建屋と金属部材との電源部への負極と正極との接続を繰り返すことにより、さらに塩素イオンを含む水３５を外部に排出させ、液滴３６として除塩する。
【００４３】
本実施例によれば、隙間部内にナノミストを導入し、電気分解により塩素イオンとした後、前記金属製の密閉容器又は密閉建屋と金属部材との電源部への負極と正極との接続を逆転させることで、塩素イオンを含む水を外部に排出させ、液滴として除塩することができる。この除塩は、除塩対象の金属部材３１を覆う密閉容器３２や密閉建屋２１と、この密閉容器３２又は密閉建屋２１内にナノミスト２２を導入するナノミスト導入装置２３を設け、直流電源部からの通電を、所定時間逆転させることで、除塩することが可能となる。
【００４４】
よって、従来のような洗浄に大量の純水や精製水を必要としないので、被処理物である金属部材を浸漬する水槽が不要となり、大量の洗浄水による複数回の繰り返しの洗浄作業が不要となる。
【００４５】
さらに、タービンロータの翼溝の隙間部の洗浄においては、翼根を取り外すような分解工程及びその分解後の個々の部材の洗浄、更には洗浄後の部材の組み付けと、組み付け後の検査という複数の工程が不要となり、除塩工程の大幅な簡素化を図ることができる。
【００４６】
すなわち、従来では、金属部材３１に付着した塩分を水沈処理(浸漬槽にどぶ漬け処理)する場合には、初期の塩素イオンの付着量が１００ｍｇ／ｍ2とした場合、一回の浸漬処理では、１／１０程度しか濃度が低下しないので、応力腐食割れの原因とならない塩分量(例えば０．５ｍ／ｍ2以下)とする場合には、少なくとも３〜５回程度の浸漬による洗浄処理が必要となり、純水を入れ替えるため多量の純水を必要としていた。
【００４７】
これに対して、本発明では、純水の使用はナノミスト２２の発生に使用するだけでよいこととなる。なお、本除塩処理の後に、金属部材３１の表面を純水で洗い流すようにしてもよいが、その使用量も微々たるものである。なお、水洗処理した場合には、乾燥処理して錆の発生を防止するようにしている。
【００４８】
ここで、塩分が付着した金属部材としては、金属部材に微小な隙間部（狭隘部）が存在する例えばボイラ車室、弁、ロータ、翼、翼溝部（翼根）等を例示することができるが、本発明はこれに限定されるものではない。
【００４９】
なお、本実施例では通電時間を夫々２〜３日としているが、除塩の対象の金属部材の塩分付着の程度により通電時間は適宜変更するようにしてもよい。
【００５０】
よって、ボイラ設備において、例えば復水器に使用する冷却水の海水リークが発生した場合でも、ナノミスト２２の発生のための僅かな純水や精製水の使用で除塩処理することができる。
【００５１】
本発明では、金属部材３１として、タービンロータ１１を用いて説明し、密閉建屋２１としては、このタービンロータ１１を分解せずにそのまま全体を覆うことができ、且つナノミスト２２を導入してもその密閉状態を保持できるものを用いて説明したが、本発明で対象とする金属部材３１は、タービンロータ１１に何ら限定されるものではなく、小型の塩分が付着する金属部材３１の場合には、その小型の金属部材３１を覆うことができる、密閉容器３１を用いて本発明を実施することができる。
【００５２】
また、金属部材３１の表面に例えば超音波振動子を設け、電気分解の際及び塩素イオン排出の際における水中のイオンの挙動を活発にして、さらに除塩効果を高めるようにすることもできる。
【実施例２】
【００５３】
図５及び図６は、実施例２に係るナノミストによる塩分を除去する作用を模式的に示す図である。なお、実施例１に係る金属部材の脱塩装置の構成と重複する部材には同一符号を付してその説明は省略する。
本実施例では、実施例１において、さらにナノミスト２２の導入に際して、二酸化炭素（ＣＯ2）を混合するようにしている。この二酸化炭素（ＣＯ2）の導入に際しては、ボンベやドライアイスを用いることができるが、これに限定されるものではない。
【００５４】
ナノミスト２２に二酸化炭素（ＣＯ2）を添加して密閉容器３２内に充満させることにより、炭酸イオン（ＣＯ32-）が共存することとなる。ここで、ＣＯ2の水への溶解度は１ｃｃ／１ｍｌ水であるので、１〜５％程度混合するのが好ましい。
【００５５】
このナノミスト中に共存した炭酸イオンは負イオンであるので、図５に示すように、炭酸イオン（ＣＯ32-）が共存により、ナノミストの負の帯電が強化され、より正極に接続する金属部材３１の隙間部３３の深部まで、到達する挙動が加速される。よって、より隙間部が狭い狭隘部内への侵入も容易となる。
【００５６】
そして、図５の直流電源部２４での接続状態で２〜３日通電をした後、図６に示すように、直流電源部２４での接続を逆転（交番）し、直流電源部２４から金属部材３１への接続を負極側とし、密閉容器３２への接続を正極側とする。
【００５７】
この結果、図６に示すように、塩分として塩化ナトリウム（ＮａＣｌ）の場合、水３５中にはＮａ+、Ｈ+、Ｃｌ-、ＯＨ-に加えてＣＯ32-がイオン状態で存在する。
この状態で、金属部材３１が負極側に接続すると、水３５内の正イオン（Ｎａ+、Ｈ+）は、金属部材３１側に引き付けられ、逆に負イオン（Ｃｌ-、ＯＨ-、ＣＯ32-）は隙間部３３の先端部より外側の密閉容器３２側に引き付けられる際、炭酸イオン（ＣＯ32-）が共存により、ナノミストの負の帯電が強化される。この結果、ナノミスト２２を連続して充満させているので、塩素イオンが溶解した液滴が隙間部３３の開口部より連続して引っ切り無しに落下し、負イオンの排出効果が助長される。付着した塩素イオンは、飽和状態の液滴に侵入して液滴３６として落下し、密閉容器３２の底部に溜まることとなる。
【００５８】
この状態を２〜３日継続して、塩素イオンが溶出した水３５を隙間部３３から排出させ、金属部材１１の表面に塩素イオンが溶解した液滴３６として除塩することができる。
【００５９】
本実施例によれば、二酸化炭素を添加するので、炭酸イオンが共存することとなり、ナノミストの帯電が強化され、隙間部の深淵部への挙動が速くなり、実施例１に比べて隙間部の深度方向での電気分解が確実になり、電解による塩素イオンの溶出が確実となる。
【符号の説明】
【００６０】
１１  タービンロータ
１２  翼溝
１３  翼根
１４  狭隘部
２２  ナノミスト
２３  ナノミスト導入装置
２４  直流電源部
３１  金属部材
３２  密閉容器
３３  隙間部（又は狭隘部）
３５  水
３６  液滴
【図１】
2015117411.tif 000003
【図２】
2015117411.tif 000004
【図３】
2015117411.tif 000005
【図４】
2015117411.tif 000006
【図５】
2015117411.tif 000007
【図６】
2015117411.tif 000008